(57)【要約】【課題】  三次元画像によって所定情報を提示することができ、所定情報の視認性を向上させることができる画像表示装置を提供すること。【解決手段】  情報提示用の二次元画像を生成する制御部１５０と、表面１１１及び裏面１１２を有し表面１１１側から入射した光を表面１１１側に反射するとともに裏面１１２側から入射した光を表面１１１側に透過するハーフミラー１１０と、ハーフミラー１１０の裏面１１２に対向する表示面１２１を有し生成された二次元画像を表示することにより生成された二次元画像に対応する表示光を表示面１２１から出射するディスプレイ１２０と、ハーフミラー１１０とディスプレイ１２０との間に設けられ出射された表示光を結像することにより三次元画像を形成するマイクロレンズアレイ１３０と、を備えるように画像表示装置１００を構成する。【選択図】  図１
2006154181.tif 000002
【特許請求の範囲】
【請求項１】
情報提示用の二次元画像を生成する生成手段と、
表面及び裏面を有し前記表面側から入射した光を前記表面側に反射するとともに前記裏面側から入射した光を前記表面側に透過する透過部材と、
前記透過部材の裏面に対向する表示面を有し前記生成された二次元画像を表示することにより前記生成された二次元画像に対応する表示光を前記表示面から出射する表示部材と、
前記透過部材と前記表示部材との間に設けられ前記出射された表示光を結像することにより三次元画像を形成する結像部材と、を備えることを特徴とする画像表示装置。
【請求項２】
請求項１に記載の画像表示装置において、
利用者の一部を撮像することにより撮像データを生成する撮像手段と、
前記生成された撮像データを分析することにより分析データを生成する分析手段と、を更に備え、
前記生成手段は、前記生成された分析データに基づいて前記二次元画像を生成することを特徴とする画像表示装置。
【請求項３】
請求項１又は請求項２に記載の画像表示装置において、
美容データを取得する取得手段を更に備え、
前記生成手段は、前記取得された美容データに基づいて前記二次元画像を生成することを特徴とする画像表示装置。
【請求項４】
請求項１から請求項３の何れか一項に記載の画像表示装置において、
利用者の位置を検出する検出手段と、
前記検出された位置に応じて前記生成された二次元画像の表示態様を変更する変更手段と、を更に備えることを特徴とする画像表示装置。
【請求項５】
請求項１から請求項４の何れか一項に記載の画像表示装置において、
前記結像部材は、複数のレンズを有するマイクロレンズアレイによって構成されたことを特徴とする画像表示装置。
【請求項６】
請求項１から請求項５の何れか一項に記載の画像表示装置において、
前記結像部材は、前記透過部材及び前記表示部材に対して移動可能に設けられたことを特徴とする画像表示装置。
【発明の詳細な説明】
【技術分野】
【０００１】
本願は、情報提示用の画像を表示する画像表示装置の技術分野に属する。
【背景技術】
【０００２】
従来、この種の画像表示装置の一例として、二次元画像によって美容情報を提示するように構成された化粧鏡装置が知られている（例えば、特許文献１参照）。
【特許文献１】特開２００３−１５３７３９号公報（第３頁、第１図）
【発明の開示】
【発明が解決しようとする課題】
【０００３】
しかしながら、上述した従来の画像表示装置は、二次元画像によって美容情報を提示するように構成されているために、美容情報の視認性を向上させることが困難であるという事情があった。
【０００４】
そこで、本願は、上述した事情を鑑みてなされたものであり、その課題の一例として、三次元画像によって所定情報を提示することができ、所定情報の視認性を向上させることができる画像表示装置を提供することを目的とする。
【課題を解決するための手段】
【０００５】
上述した課題を解決するために、請求項１に記載の画像表示装置は、情報提示用の二次元画像を生成する生成手段と、表面及び裏面を有し前記表面側から入射した光を前記表面側に反射するとともに前記裏面側から入射した光を前記表面側に透過する透過部材と、前記透過部材の裏面に対向する表示面を有し前記生成された二次元画像を表示することにより前記生成された二次元画像に対応する表示光を前記表示面から出射する表示部材と、前記透過部材と前記表示部材との間に設けられ前記出射された表示光を結像することにより三次元画像を形成する結像部材と、を備えることを特徴とする構成を有している。
【発明を実施するための最良の形態】
【０００６】
以下、本願を実施するための最良の形態について、図面を用いて説明する。なお、以下説明する実施形態は、本願に係る画像表示装置を、例えば、家庭用の画像表示装置に適用した場合の実施形態を示している。
【０００７】
具体的には、本実施形態における画像表示装置は、所定情報の一例としての美容情報を提示するための三次元画像を形成し、当該形成された三次元画像に基づいて利用者が美容情報を視認するように構成されている。
【０００８】
まず、本実施形態における画像表示装置の構成について、図１から図３を用いて説明する。なお、図１は、本実施形態における画像表示装置を示す斜視図であり、図２は、本実施形態における三次元画像を示す平面図であり、図３は、本実施形態における画像表示装置を示すブロック図である。
【０００９】
本実施形態における画像表示装置１００は、図１に示すように、透過部材の一例としてのハーフミラー１１０と、表示部材の一例としてのディスプレイ１２０と、結像部材の一例としてのマイクロレンズアレイ１３０と、ハーフミラー１１０、ディスプレイ１２０及びマイクロレンズアレイ１３０を連結するフレーム１４０と、下述する制御部１５０とを備え、制御部１５０は、情報提示用の二次元画像を生成するようになっている。
【００１０】
ハーフミラー１１０は、表面１１１及び裏面１１２を有し、表面１１１側から入射した光を表面１１１側に反射するとともに、裏面１１２側から入射した光を表面１１１側に透過するようになっている。そして、利用者は、図２（ａ）に示すように、利用者の一部、例えば、頭部１０１をハーフミラー１１０の表面１１１に写すことにより、ハーフミラー１１０を鏡として利用することが可能になる。
【００１１】
ディスプレイ１２０は、ハーフミラー１１０の裏面１１２に対向する表示面１２１を有し、生成された二次元画像を表示することにより、生成された二次元画像に対応する表示光を表示面１２１から出射するようになっている。表示された二次元画像１０２は、図２（ｂ）に示すように、髪型情報１０４、健康情報１０５、マッサージ情報１０６、装飾情報１０７、メイク情報１０８、老化情報１０９などを含む美容情報を提示するようになっている。
【００１２】
具体的には、髪型情報１０４は、髪型を変更する際に、長さ、形状、色彩などを提示するものである。また、健康情報１０５は、肌質、輪郭などの変化状況を提示するものである。また、マッサージ情報１０６は、顔、首などをマッサージする際に、方向、強度、回数などを提示するものである。また、装飾情報１０７は、メガネ、アクセサリなどの着用状況を提示するものである。また、メイク情報１０８は、顔、首などをメイクする際に、色彩、形状、方向などを提示するものである。また、老化情報１０９は、肌質、輪郭などの変化状況を提示するものである。
【００１３】
マイクロレンズアレイ１３０は、ハーフミラー１１０とディスプレイ１２０との間に設けられ、出射された表示光を結像することにより、ハーフミラー１１０の表面１１１に沿って三次元画像を形成するようになっている。形成された三次元画像１０３は、図２（ｃ）に示すように、ハーフミラー１１０の表面１１１に写った利用者の頭部１０１に重畳され、上述した美容情報を提示するようになっている。
【００１４】
また、画像表示装置１００は、図３に示すように、生成手段、分析手段及び変更手段の一例としての制御部１５０と、撮像手段の一例としての撮像部１６０と、取得手段の一例としての取得部１７０と、検出手段の一例としての検出部１８０と、操作信号を入力するための入力部１９０とを備えている。
【００１５】
制御部１５０は、上述した美容情報を提示するための二次元画像を生成し、当該生成された二次元画像を示す画像信号をディスプレイ１２０に出力するようになっている。そして、ディスプレイ１２０は、入力された画像信号に応じて二次元画像を表示するようになっている。
【００１６】
撮像部１６０は、ディジタルカメラなどの撮像器によって構成され、利用者の一部、例えば、頭部を撮像することにより撮像データを生成するようになっている。そして、制御部１５０は、生成された撮像データを分析することにより分析データを生成し、当該生成された分析データに基づいて二次元画像を生成するようになっている。生成された分析データは、撮像データを画像解析することによって算出されたデータであって、健康情報、老化情報などの美容情報を含むものである。
【００１７】
取得部１７０は、コンピュータなどの通信器によって構成され、ネットワーク１７１を介して美容データを取得、即ち、ダウンロードするようになっている。そして、制御部１５０は、取得された美容データに基づいて二次元画像を生成するようになっている。取得された美容データは、外部サーバによって追加、更新されたデータであって、上述した美容情報を含むものである。
【００１８】
検出部１８０は、赤外線センサなどの検出器によって構成され、利用者の一部、例えば、顔の位置を検出するようになっている。そして、制御部１５０は、検出された顔の位置に基づいてディスプレイ１２０に駆動信号を出力し、ディスプレイ１２０は、入力された駆動信号に応じて二次元画像の表示態様を変更するようになっている。
【００１９】
具体的には、ディスプレイ１２０は、検出部１８０によって利用者が検出されないときには、所定の案内情報を提示するための二次元画像、所謂、デモ画像を表示し、検出部１８０によって利用者が検出されたときには、上述した美容情報を提示するための二次元画像を表示するようになっている。
【００２０】
入力部１９０は、コンピュータなどの入力器によって構成され、利用者によって操作されたときに操作信号を生成し、当該生成された操作信号を制御部１５０に出力するようになっている。そして、制御部１５０は、入力された操作信号に応じて二次元画像を生成するようになっている。これにより、利用者は、上述した美容情報から一の情報を選択することが可能になる。
【００２１】
次に、本実施形態におけるディスプレイ及びマイクロレンズアレイの構成について、図４を用いて説明する。なお、図４は、本実施形態におけるハーフミラー、ディスプレイ及びマイクロレンズアレイを示す側面図である。
【００２２】
本実施形態におけるディスプレイ１２０は、図４に示すように、上述した美容情報を提示するための二次元画像を表示する表示面１２１を有し、表示面１２１から表示光を出射するようになっている。
【００２３】
なお、本実施形態では、ディスプレイ１２０は、ＬＣＤ（Liquid Crystal Display）、ＰＤＰ（Plasma Display Panel）、有機ＥＬ（Electroluminescence）ディスプレイ、ＣＲＴ（Cathode Ray Tube）ディスプレイなどの表示器によって構成されている。
【００２４】
また、本実施形態では、ディスプレイ１２０は、表示面１２１から表示光を出射する表示器によって構成されているが、これに限らず、二次元画像が形成された部材、例えば、枚葉状のシート、ロール状のシートなどの部材を変動することにより二次元画像を表示する表示器によって構成されてもよい。
【００２５】
本実施形態におけるマイクロレンズアレイ１３０は、図４に示すように、出射された表示光を結像する結像面１３１を有し、結像面１３１に沿って三次元画像を形成するようになっている。
【００２６】
具体的には、マイクロレンズアレイ１３０は、マトリクス状に配置された複数のレンズ１３２を有し、各レンズ１３２の結像距離に応じて、出射された表示光を結像するようになっている。
【００２７】
このときに、各レンズ１３２の結像距離は、ハーフミラー１１０の表面１１１に沿って結像面１３１を形成するように設定されてもよく、ハーフミラー１１０から利用者側に離隔した空間に結像面１３１を形成するように設定されてもよく、ハーフミラー１１０とマイクロレンズアレイ１３０との間に結像面１３１を形成するように設定されてもよい。
【００２８】
さらに、ハーフミラー１１０と結像面１３１との位置関係、即ち、鏡像と三次元画像とをどのように重畳させるかは、表示する内容に応じて選択することが可能である。また、マイクロレンズアレイ１３０を移動させ、結像面１３１を変位させてもよい。
【００２９】
次に、本実施形態における画像表示装置の動作について、図５を用いて説明する。なお、図５は、本実施形態における画像表示工程を示すフローチャートである。
【００３０】
本実施形態における画像表示装置１００は、図５に示すように、上述した美容情報を提示するための三次元画像を形成する画像表示工程（ステップＳ１０１からステップＳ１０８）を実行する。
【００３１】
まず、制御部１５０は、検出部１８０が利用者を検出したか否かを判別し（ステップＳ１０１）、検出部１８０が利用者を検出しなかった場合には、所定の案内情報を提示するための二次元画像、所謂、デモ画像をディスプレイ１２０に表示して（ステップＳ１０２）、上述した判別処理（ステップＳ１０１）を繰り返す。一方、検出部１８０が利用者を検出した場合には、次の処理に移行する。
【００３２】
次いで、制御部１５０は、検出部１８０からの検出データに基づいて、利用者の顔がハーフミラー１１０の中央に位置したか否かを判別し（ステップＳ１０３）、ハーフミラー１１０の中央に位置しなかった場合には、利用者に対して移動を指示するための二次元画像、例えば、矢印画像をディスプレイ１２０に表示して（ステップＳ１０４）、上述した判別処理（ステップＳ１０３）を繰り返す。一方、ハーフミラー１１０の中央に位置した場合には、次の処理に移行する。
【００３３】
なお、本実施形態では、制御部１５０は、検出部１８０からの検出データに基づいて、利用者の顔がハーフミラー１１０の中央に位置したか否かを判別するように構成されているが、これに限らず、撮像部１６０からの撮像データに基づいて、利用者の顔がハーフミラー１１０の中央に位置したか否かを判別するように構成されてもよい。
【００３４】
次いで、制御部１５０は、入力部１９０からの操作信号に応じて、上述した美容情報を提示するための二次元画像をディスプレイ１２０に表示する（ステップＳ１０５）。このときに、マイクロレンズアレイ１３０は、出射された表示光を結像することにより、ハーフミラー１１０の表面１１１に沿って三次元画像を形成する（ステップＳ１０６）。
【００３５】
次いで、制御部１５０は、検出部１８０からの検出データに基づいて、利用者の顔がハーフミラー１１０から移動したか否かを判別し（ステップＳ１０７）、ハーフミラー１１０から移動しなかった場合には、上述した表示処理（ステップＳ１０５）を繰り返す。一方、利用者の顔がハーフミラー１１０から移動した場合には、所定の案内情報を提示するための二次元画像、所謂、デモ画像をディスプレイ１２０に表示して（ステップＳ１０８）、本工程を終了する。
【００３６】
なお、本実施形態では、制御部１５０は、検出部１８０からの検出データに基づいて、利用者の顔がハーフミラー１１０から移動したか否かを判別するように構成されているが、これに限らず、撮像部１６０からの撮像データに基づいて、利用者の顔がハーフミラー１１０から移動したか否かを判別するように構成されてもよい。
【００３７】
以上説明したように、本実施形態では、画像表示装置１００は、情報提示用の二次元画像を生成する制御部１５０と、表面１１１及び裏面１１２を有し表面１１１側から入射した光を表面１１１側に反射するとともに裏面１１２側から入射した光を表面１１１側に透過するハーフミラー１１０と、ハーフミラー１１０の裏面１１２に対向する表示面１２１を有し生成された二次元画像を表示することにより生成された二次元画像に対応する表示光を表示面１２１から出射するディスプレイ１２０と、ハーフミラー１１０とディスプレイ１２０との間に設けられ出射された表示光を結像することにより三次元画像を形成するマイクロレンズアレイ１３０と、を備えることを特徴とする構成を有している。
【００３８】
この構成により、本実施形態では、ハーフミラー１１０の表面１１１に沿って三次元画像を形成するので、三次元画像によって美容情報を提示することができ、美容情報の視認性を向上させることができる。特に、ディスプレイ１２０の非発光領域、例えば、表示面１２１を環囲する枠体、表示面１２１に表示された黒色背景などの領域をマイクロレンズアレイ１３０が被覆するので、ディスプレイ１２０の発光領域から出射された表示光のみを導出することができ、上述した三次元画像を明瞭に形成することができる。
【００３９】
また、本実施形態では、画像表示装置１００は、利用者の一部を撮像することにより撮像データを生成する撮像部１６０と、生成された撮像データを分析することにより分析データを生成する制御部１５０と、を更に備え、制御部１５０は、生成された分析データに基づいて二次元画像を生成することを特徴とする構成を有している。
【００４０】
この構成により、本実施形態では、利用者の一部を撮像することにより撮像データを生成し、当該生成された撮像データを分析するので、健康情報、老化情報などの美容情報を利用者に提示することができる。
【００４１】
また、本実施形態では、画像表示装置１００は、美容データを取得する取得部１７０を更に備え、制御部１５０は、取得された美容データに基づいて二次元画像を生成することを特徴とする構成を有している。
【００４２】
この構成により、本実施形態では、美容データを取得するので、外部サーバによって追加、更新された美容情報を利用者に提示することができる。
【００４３】
また、本実施形態では、画像表示装置１００は、利用者の位置を検出する検出部１８０と、検出された位置に応じて生成された二次元画像の表示態様を変更する制御部１５０と、を更に備えることを特徴とする構成を有している。
【００４４】
この構成により、本実施形態では、利用者の位置に応じて美容情報の提示態様を変更するので、利用者が検出されないときにデモ画像を表示するとともに、利用者が検出されたときに美容情報を提示することができる。
【００４５】
また、本実施形態では、結像部材は、複数のレンズ１３２を有するマイクロレンズアレイ１３０によって構成されたことを特徴とする構成を有している。
【００４６】
この構成により、本実施形態では、結像部材がマイクロレンズアレイ１３０によって構成されているので、結像部材を簡易に製造することができ、製造コストを低減することができる。
【００４７】
なお、本実施形態では、ハーフミラー１１０、ディスプレイ１２０及びマイクロレンズアレイ１３０を連結するように構成されているが、これに限らず、ハーフミラー１１０及びマイクロレンズアレイ１３０をディスプレイ１２０に着脱するように構成されてもよい。
【００４８】
また、本実施形態では、ハーフミラー１１０、ディスプレイ１２０及びマイクロレンズアレイ１３０を連結するように構成されているが、これに限らず、ディスプレイ１２０及びマイクロレンズアレイ１３０がハーフミラー１１０に対して移動可能に構成されてもよい。
【００４９】
この構成により、本実施形態では、ディスプレイ１２０及びマイクロレンズアレイ１３０がハーフミラー１１０に対して移動可能に構成されているので、形成された三次元画像を移動することができ、三次元画像の表示位置を調整することができるとともに、三次元画像の表示態様を演出することができる。特に、マイクロレンズアレイ１３０が移動する場合には、ディスプレイ１２０が移動する場合に比較して、三次元画像の移動量が２倍になり、さらに効果的である。
【００５０】
また、本実施形態では、画像表示装置１００は、例えば、家庭用の画像表示装置に適用されているが、これに限らず、美容院、販売店などの業務用の画像表示装置に適用されてもよい。
【００５１】
また、本実施形態における画像表示装置１００を、シミュレーション、モデリング、解析、医療、生物などの分野に適用してもよい。
【００５２】
また、本実施形態における画像表示装置１００を、複数用意して、適宜、所定位置に設けてもよい。
【図面の簡単な説明】
【００５３】
【図１】本願の一実施形態における画像表示装置を示す斜視図である。
【図２】本願の一実施形態における三次元画像を示す平面図である。
【図３】本願の一実施形態における画像表示装置を示すブロック図である。
【図４】本願の一実施形態におけるハーフミラー、ディスプレイ及びマイクロレンズアレイを示す側面図である。
【図５】本願の一実施形態における画像表示工程を示すフローチャートである。
【符号の説明】
【００５４】
１００  画像表示装置
１１０  ハーフミラー
１１１  表面
１１２  裏面
１２０  ディスプレイ
１２１  表示面
１３０  マイクロレンズアレイ
１３１  結像面
１３２  レンズ
１４０  フレーム
１５０  制御部
１６０  撮像部
１７０  取得部
１７１  ネットワーク
１８０  検出部
１９０  入力部
【図１】
2006154181.tif 000003
【図２】
2006154181.tif 000004
【図３】
2006154181.tif 000005
【図４】
2006154181.tif 000006
【図５】
2006154181.tif 000007